(57)【要約】【課題】各セルの中に少なくとも１つのアンテナ１Ａ〜１Ｄ、２Ａ〜２Ｄを含むセル式単一周波数ネットワークでの、チャネル多重化構造に構成されたパイロットを用いた伝送方法を提供すること。【解決手段】  本方法によって、各周波数ブロックＦＢ１〜ＦＢ３の各々の周波数帯域幅に適合するパイロット拡散系列長を備えた隣接するＯＦＤＭ副搬送波の周波数ブロックＦＢ１〜ＦＢ３はチャネル多重化のために使用され、パイロット拡散系列長は、逆拡散パイロット、基地局、モバイル端末およびそのためのモバイルネットワークを使用したチャネル推定を可能にするために十分に長い。【選択図】図６
2007124657.tif 000002
【特許請求の範囲】
【請求項１】
各セルの中に少なくとも１つのアンテナ（１Ａ〜１Ｄ、２Ａ〜２Ｄ）を含むセル式単一周波数ネットワークでの、チャネル多重化構造に構成されたパイロットを用いた伝送方法であって、
周波数ブロック（ＦＢ１〜ＦＢ３）の各々の周波数帯域幅に適合するパイロット拡張系列長を備えた隣接するＯＦＤＭ副搬送波の周波数ブロック（ＦＢ１〜ＦＢ３）がチャネル多重化のために使用されることと、
パイロット拡張系列長が、逆拡散パイロットを使用したチャネル推定を可能にするために十分に長いこととを特徴とする、方法。
【請求項２】
チャネル推定が前記逆拡散パイロットを使用して実行されることを特徴とする、請求項１に記載の方法。
【請求項３】
複数のアンテナ（１Ａ〜１Ｄ、２Ａ〜２Ｄ）のための複数のパイロット拡散が、同じ周波数ブロック（ＦＢ１〜ＦＢ３）の同じＯＦＤＭシンボルの中に配置されることを特徴とする、請求項１に記載の方法。
【請求項４】
多様な周波数の周波数パターンが、周波数ブロック（ＦＢ１〜ＦＢ３）の間に挿入されることを特徴とする、請求項１に記載の方法。
【請求項５】
少なくとも１つの周波数ブロック（ＦＢ１〜ＦＢ３）の内部で、少なくとも１つのＯＦＤＭシンボルの副搬送波が共通の制御チャネルに割り当てられることを特徴とする、請求項１に記載の方法。
【請求項６】
周波数ブロック（ＦＢ１〜ＦＢ３）に特有のアンテナウェイト、または周波数パターンに特有のアンテナウェイトが使用されることを特徴とする、請求項１に記載の方法。
【請求項７】
周波数ブロック（ＦＢ１〜ＦＢ３）の内部で、前記アンテナウェイトが制御および少なくとも１つのデータ部分のためにさらに異なることを特徴とする、請求項６に記載の方法。
【請求項８】
前記周波数ブロック（ＦＢ１〜ＦＢ３）のデータ部分が、ビーム形成、ＭＩＭＯ伝送、周波数スケジューリングまたは干渉調整のために、異なるチャネル状態にある異なるユーザに割り当てられることと、
前記分配された周波数ブロック（ＦＢ１〜ＦＢ３）の内部で、アンテナ（１Ａ〜１Ｄ、２Ａ〜２Ｄ）上の適切な分配によって、アンテナパイロットおよびアンテナウェイトの適切な構成によって、非常に遠距離に配置されたユーザのためでもあり、同時に専用データのためでもある制御データの全方向伝送、ビーム形成もしくはＭＩＭＯ伝送、または周波数ブロック（ＦＢ１〜ＦＢ３）とユーザとに依存する通常の伝送が実行されることと、
前記周波数ブロック（ＦＢ１〜ＦＢ３）の割当が、チャネル推定の測定値、パイロット測定値、干渉測定値、特定のユーザの処理量の増大に関する測定、またはＭＩＭＯもしくはビーム形成伝送のために算出された予測処理量に基づくこととを特徴とする、請求項１に記載の方法。
【請求項９】
セクタまたはセルの中で、周波数ブロックに配置された多様な周波数の特定の組合せが、前記組合せの中の周波数ブロックの電力および使用の制限を課すために選択され、スケジューラが干渉調整から利益を得るために前記制限を使用することができることを特徴とする、請求項１に記載の方法。
【請求項１０】
アンテナ特有のパイロットと、それらに応じて異なる電力を備えた複数のアンテナ（１Ａ〜１Ｄ、２Ａ〜２Ｄ）のための、引き起こされた干渉を制限するための同様のパイロットとが使用されることを特徴とする、請求項１に記載の方法。
【請求項１１】
制御情報が、複数のアンテナ（１Ａ〜１Ｄ、２Ａ〜２Ｄ）を介して広範囲の放射パターンを用いて伝送されることを特徴とする、請求項５に記載の方法。
【請求項１２】
各周波数ブロック（ＦＢ１〜ＦＢ３）の制御情報部分が、電力が適切に高められたアンテナパイロットを用いて、単一のアンテナ（１Ａ〜１Ｄ、２Ａ〜２Ｄ）のみを介して送信され、異なるアンテナ（１Ａ〜１Ｄ、２Ａ〜２Ｄ）が、アンテナ（１Ａ〜１Ｄ、２Ａ〜２Ｄ）間での電力の釣り合わせを達成するために、周波数ブロック（ＦＢ１〜ＦＢ３）によって選択されることを特徴とする、請求項１に記載の方法。
【請求項１３】
アンテナ（１Ａ〜１Ｄ、２Ａ〜２Ｄ）が制御チャネルを伝送するアンテナパイロットの電力が高められ、別のパイロットがビーム指示ウェイトを用いてすべてのアンテナ（１Ａ〜１Ｄ、２Ａ〜２Ｄ）の一部を介して伝送され、データ部分が前記すべてのアンテナ（１Ａ〜１Ｄ、２Ａ〜２Ｄ）の一部のために、ビーム形成のために以前に選択された同様のビーム指示ウェイトを使用して、すべてのアンテナ（１Ａ〜１Ｄ、２Ａ〜２Ｄ）を介して伝送され、すべてのアンテナ（１Ａ〜１Ｄ、２Ａ〜２Ｄ）の一部を介して伝送された前記別のパイロットの電力が、干渉を軽減するために弱められることを特徴とする、請求項１に記載の方法。
【請求項１４】
１つの周波数ブロック（ＦＢ１〜ＦＢ３）が、全方向伝送のために１つのアンテナ（１Ａ〜１Ｄ、２Ａ〜２Ｄ）からのみ１つのパイロットを用いて伝送され、パイロット電力がすべてのパイロットに利用可能な最大総電力を使い切るために高められることを特徴とする、請求項１に記載の方法。
【請求項１５】
各アンテナ（１Ａ〜１Ｄ、２Ａ〜２Ｄ）から、アンテナ特有のパイロットが位相要素を伴わずに周波数ブロック（ＦＢ１〜ＦＢ３）のパイロット部分の中で送信され、アンテナ（１Ａ〜１Ｄ、２Ａ〜２Ｄ）が制御チャネルを伝送するアンテナパイロットの電力が高められ、別のパイロットがすべてのパイロットのための利用可能な総パイロット電力を保存するように弱められ、各アンテナ（１Ａ〜１Ｄ、２Ａ〜２Ｄ）上で、ＭＩＭＯ伝送のためのアンテナ特有のデータが伝送されることを特徴とする、請求項１に記載の方法。
【請求項１６】
アンテナ（１Ａ〜１Ｄ、２Ａ〜２Ｄ）上での適切な分配、パイロットの使用法、電力および伝送方式の選択が、端末のフィードバックに基づく、請求項１３、１４または１５に記載の方法。
【請求項１７】
各セルの中に少なくとも１つのアンテナ（１Ａ〜１Ｄ、２Ａ〜２Ｄ）を含むセル式単一周波数ネットワークでの、チャネル多重化構造に構成されたパイロットを用いた伝送のためのモバイル端末であって、
周波数ブロック（ＦＢ１〜ＦＢ３）の各々の周波数帯域幅に適合し、チャネル推定を可能にするために十分に長いパイロット拡散系列長を備えたパイロットを含むチャネル多重化のために使用される隣接するＯＦＤＭ副搬送波の周波数ブロック（ＦＢ１〜ＦＢ３）を受信するための手段を含むことと、
チャネル推定を可能にするために十分に長いパイロット拡散系列長を備えた前記パイロットを使用して、チャネル推定を実行するための手段を含むこととを特徴とする、モバイル端末。
【請求項１８】
各セルの中に少なくとも１つのアンテナ（１Ａ〜１Ｄ、２Ａ〜２Ｄ）を含むセル式単一周波数ネットワークでの、チャネル多重化構造に構成されたパイロットを用いた伝送のための基地局であって、
パイロット拡散系列長が周波数ブロック（ＦＢ１〜ＦＢ３）の各々の周波数帯域幅に適合するようなチャネル多重化のために使用される隣接するＯＦＤＭ副搬送波の周波数ブロック（ＦＢ１〜ＦＢ３）を選択するための手段を含むことと、
チャネル推定を可能にするために十分に長いパイロット拡散系列長を選択するための手段を含むこととを特徴とする、基地局。
【請求項１９】
請求項１に記載の方法を実行するために、請求項１７に記載のモバイル端末と、請求項１８に記載の基地局とを含む、モバイルネットワーク。
【発明の詳細な説明】
【技術分野】
【０００１】
本発明は請求項１のプリアンブルに記載のセル式単一周波数ネットワーク、請求項１７のプリアンブルに記載のモバイル端末、請求項１８のプリアンブルに記載の基地局、および請求項１９のプリアンブルに記載のモバイルネットワークでの伝送方法に関する。
【背景技術】
【０００２】
直交周波数多重分割（ＯＦＤＭ）無線システムは、３ＧＰＰ技術仕様化グループ（ＴＳＧ）の無線アクセスネットワーク（ＲＡＮ１）など、多くの場所で現在議論中である。こうした無線システムは、現在のＷ−ＣＤＭＡ（Ｗ−ＣＤＭＡ＝広帯域符号分割多重アクセス）のような単一周波数のネットワークであるべきである。
【０００３】
ＯＦＤＭチャネル、すなわちＯＦＤＭの時間・周波数グリッドは、異なるユーザまたはモバイル端末の間で多重化されなければならない。一部のビーム形成が信号対干渉・ノイズ比（ＳＩＮＲ）（ｓｉｇｎａｌ  ｔｏ  ｉｎｔｅｒｆｅｒｅｎｃｅ  ｐｌｕｓ  ｎｏｉｓｅ  ｒａｔｉｏ）を引き上げるために使用されなければならないため、および優良なＳＩＮＲ値を有する一部の多重入出力（ＭＩＭＯ）伝送がデータ処理率を増加させるのに使用されることが可能なため、ＯＦＤＭチャネルのうちの一部は適応可能な副搬送波割当または周波数スケジューリングに含まれなければならず、一部のものは特にセルの端部での干渉調整から利益を得ることが可能である。さらに、ビーム形成は一部のユーザまたはモバイル端末のためには、それらの速度が理由で、使用されることができないが、それらが配置されている方向から独立した、改良されたＳＩＮＲ値は必要とされる。
【０００４】
したがって、セルに所属するすべてのモバイル端末が現在ある受信環境から独立して受信できなければならないということから、異なるモバイル端末への専用データの送信、および共通の制御チャネル送信が必要とされる。
【０００５】
さらなる１つの目標は、アンテナパイロット情報を搬送する伝送時間間隔（ＴＴＩ）の中で数個のＯＦＤＭシンボルか、または場合によっては１つのみのＯＦＤＭシンボルとともに機能することと、いわゆるマイクロスリープ方式を可能にすることである。
【発明の開示】
【発明が解決しようとする課題】
【０００６】
本発明の目的は、チャネル多重化構造に構成されたパイロットを用いた、ＯＦＤＭシステムでのビーム形成、ＭＩＭＯ伝送、周波数スケジューリングおよび干渉調整のための方法を提案することである。
【課題を解決するための手段】
【０００７】
この目的は、請求項１の教示による方法、請求項１７の教示による基地局、請求項１８の教示によるモバイル端末、および請求項１９の教示によるモバイルネットワークによって達成される。
【０００８】
本発明の主な着想は、パイロット拡散系列長（ｐｉｌｏｔ  ｓｐｒｅａｄｉｎｇ  ｓｅｑｕｅｎｃｅ  ｌｅｎｇｔｈ）が帯域幅に適合し、パイロット拡散系列長が、セルの端部か、またはそれを越えて行われるモバイル端末によるチャネル推定が可能になるために、および必要であれば逆拡散パイロットを使用してチャネル推定を実行するために十分に長くなるように、チャネル多重化のために、周波数ブロックの周波数帯域幅を備えた隣接するＯＦＤＭ副搬送波の周波数ブロックを使用することである。
【０００９】
本発明のさらなる展開は、従属請求項および以下の説明から集められることが可能である。
【００１０】
以下で、本発明は添付の図面を参照することによって、さらに説明される。
【発明を実施するための最良の形態】
【００１１】
本発明によるモバイルネットワークは、モバイル端末と基地局とを含む。
【００１２】
前記モバイル端末の各々は、１つまたは複数の前記基地局に接続され、基地局は基地局コントローラを経由して、順次中核ネットワークに接続される。
【００１３】
モバイル端末は、例えばＯＦＤＭネットワークなどの単一周波数ネットワークでの送信および受信のためのモバイル端末の機能を含み、すなわちこれらは基地局によってモバイルネットワークに接続されることが可能である。
【００１４】
さらに、本発明によるモバイル端末は、周波数ブロックの各々の周波数帯域幅に適合し、チャネル推定を可能にするために十分に長いパイロット拡散系列長を備えたパイロットを含むチャネルの多重化のために使用されるＯＦＤＭ副搬送波に隣接する周波数ブロックを受信するための手段を含み、モバイル端末はチャネル推定を可能にするために十分に長いパイロット拡散系列長を備えた前記パイロットを使用して、チャネル推定を実行するための手段を含む。
【００１５】
基地局はＷＬＡＮまたはＯＦＤＭネットワークなどの単一周波数ネットワークの基地局の機能を含み、すなわちそれらはモバイルネットワークに接続される可能性をモバイル端末に提供する。
【００１６】
基地局は、モバイル端末の信号またはデータへ送信するか、またはモバイル端末の信号またはデータから受信するための少なくとも１つのアンテナを含む。
【００１７】
さらに本発明による基地局は、パイロット拡散系列長が周波数ブロックの各々の周波数帯域幅に適合するようなチャネル多重化に使用される、隣接するＯＦＤＭ副搬送波の周波数ブロックを選択するための手段を含み、基地局はチャネル推定を可能にするために十分に長いパイロット拡散系列長を選択するための手段を含む。
【００１８】
以下で、本発明による方法は実施例として、図１から７を参照して詳細に説明される。
【００１９】
ＴＤＭ方式のパイロットは例えば、時間枠の中の例えば７つのＯＦＤＭシンボルのうちの１つまたは複数のＯＦＤＭシンボルの中でパイロット副搬送波が配置されるところで使用されることが可能である。これらのパイロット副搬送波は、１つまたは複数のアンテナ伝送のために使用され、アンテナに特有のものとしてセットされる。セクタ当たり４つのアンテナのためのシナリオは、セクタ化されたセルが１、２および３と表示されるセクタを有するものとして、図１に例として示されている。セクタ１、２および３の各々で、４つのアンテナは点で表されているとする。隣接するセルもまた、例えばすべてがアンテナ特有のパイロットを送信することができる複数のアンテナを備えた、これらのセクタを有する。
【００２０】
図２はセクタ１からの４つのアンテナ１Ａ、１Ｂ、１Ｃおよび１Ｄ、ならびにセクタ２からの４つのアンテナ２Ａ、２Ｂ、２Ｃおよび２Ｄを示す。送信されるパイロットは、２つのセクタまたは２つのセルの間の干渉領域の中のモバイル端末のためにも、チャネル推定が可能となるように適合されなければならない。モバイル端末はセル１のアンテナ１Ａからのアンテナに特有のパイロットを測定しなければならず、セル２からの４つのアンテナからの４倍の干渉に対処しなければならない。
【００２１】
ＴＤＭパイロットの構成は図３に示される。ここで副搬送波周波数は時間に対して記入される。ＴＴＩ間隔とも呼ばれるデータの時間枠の単位は、ｓ個のＯＦＤＭシンボルから構成される。図３で、例えば０．５ミリ秒のＴＴＩ間隔は例として、０、１、・・・６と表示されるｓ＝７のＯＦＤＭシンボルから構成される。各ＯＦＤＭシンボルは、パイロットまたはデータが配置されることが可能な周波数軸に沿った、例えばＭ＝７２である、Ｍの有効な副搬送波を有する。パイロット情報を運搬するＯＦＤＭシンボルは、図３の中で１と表示されるＯＦＤＭシンボルである。パイロット情報を運搬するＯＦＤＭシンボルは通常パイロットのみを運搬するが、パイロットとデータとを運搬することもまた可能である。
【００２２】
隣接するセルの間でのパイロット調整を必要としないために、パイロット副搬送波シンボルはデータ副搬送波シンボルとほぼ同じ電力を有するべきであり、パイロット拡散とセルに特有のスクランブル符号とを備えた構成が使用されるべきである。したがって各アンテナのために、図３に丸または四角で表示されているような、アンテナ特有の拡散系列が使用されるべきである。
【００２３】
さらに、時間が同期化されておらず、調整されることが不可能な隣接するセルへの、またはそうした隣接するセルからの影響をランダム化するために、例えばすべてのパイロットシンボルのための周波数軸に沿った、セルに特有のスクランブリングが使用されるべきである。このことは、起こりうるパイロット対パイロットの干渉を回避する。
【００２４】
パイロットの逆拡散からの利得によって、モバイル端末がセルの重複する領域にあり、信号対干渉比がＳＩＲ＝−７、・・・−８ｄＢとなる場合でさえもチャネル推定を可能にする、干渉よりもパイロット信号水準がずっと高くなることが達成される。このためには約６の逆拡散利得が必要である。
【００２５】
１つの基地局の隣接するセクタに属するアンテナは、少なくとも同期化されているとみなされることが可能である。したがって、アンテナに特有の直交拡散系列は１つのセルの中で使用される。次に、１つのセクタの１つのＯＦＤＭシンボルか、または隣接するセクタの２つ以上のアンテナパイロットは、チャネル転送関数が拡散系列長に沿ってほぼ一定していれば、受信機の中で直交であるとみなされることが可能である。このことによって、各伝送アンテナのためのすべてのチャネル転送関数の推定が可能になる。
【００２６】
各セクタにアンテナが２つの場合、例えば１つの隣接するセルアンテナのための四位相偏移変調のデータ振幅は
【数１】
2007124657.tif 000003
であり、１つのサービングセルアンテナ（ｓｅｒｖｉｎｇ  ｃｅｌｌ  ａｎｔｅｎｎａ）のためのパイロット副搬送波の振幅もまた
【数２】
2007124657.tif 000004
であって、１つの副搬送波上の１つのサービングセルアンテナのためのパイロット電力は｜ｐ｜２＝１／２となり、干渉物（ｉｎｔｅｒｆｅｒｅｒ）のための損失の少ないチャネル転送関数の場合、すべての隣接するセルのアンテナからの１つの副搬送波上の干渉物の電力は｜ｄＡ｜２＋｜ｄＢ｜２＝１／２＋１／２＝１となりうる。次に、拡散要素ＳＦ＝１２であるパイロット拡散の場合、ＳＩＲが−６〜−７ｄＢを下回ることもあるチャネル推定を可能にする、
【数３】
2007124657.tif 000005
の利得が達成される。この拡散要素は、隣接するセルへの移譲（ｈａｎｄ−ｏｖｅｒ）が起こる前の、セルの重複領域での動作のために十分なものであろう。したがって、パイロット拡散系列のために１２の長さが必要となる。
【００２７】
制御チャネルデータはパイロットとともに、または単一のＯＦＤＭシンボル上で適時に分配されるパイロット情報の隣のＯＦＤＭシンボルの中で伝送される。このような方法で、チャネル推定は共通の制御チャネルのシンボルに適用される場合、非常にうまく行われる。さらに、いわゆるマイクロスリープ方式では、モバイル端末は１つのＯＦＤＭシンボルでパイロット情報を受信して、次のＯＦＤＭシンボルで制御チャネルを復号することが可能であり、基地局によってアドレスされない場合には静止状態に入る、すなわち電力を節約するために信号処理のスイッチを切り、ＴＴＩの中のすべての他のＯＦＤＭの受信を省略することができる。
【００２８】
さらに、図２に示すようなアンテナウェイトまたは位相要素
【数４】
2007124657.tif 000006
は設定されて複数のアンテナ伝送のために使用され、電力および対応関係（ｆｕｎｃｔｉｏｎ）はアンテナパイロットに分配される。次にシステムは、時間が同期化されていない多重セルネットワークの中でもまた機能しなければならない。
【００２９】
本発明により、チャネルの多重化のために、パイロット拡散系列長が帯域幅に適合し、パイロット拡散系列長が、セルの端部か、またはそれを越えるモバイル端末によるチャネル推定が可能になるために十分に長くなるように、隣接するＯＦＤＭ副搬送波の周波数ブロックはブロックの周波数帯域幅とともに使用され、必要であれば、逆拡散パイロットを使用するチャネル推定が実行される。
【００３０】
周波数ブロックは図３に示され、ＦＢ１、ＦＢ２、ＦＢ３等と表示される。
【００３１】
本発明の実施形態で、前記周波数ブロックは、例えば周波数ブロック間に櫛状の形で挿入された、多様な周波数の周波数パターンとともに組み合わせられる。図４に示すように、これらは制御情報か、または例えばマルチメディアブロードキャスト（ＭＢＭＳ）情報のために使用されることが可能である。
【００３２】
本発明の実施形態で、１つまたは複数のＯＦＤＭシンボルの副搬送波は周波数ブロックの内部で共通の制御チャネルに割り当てられる。
【００３３】
本発明の実施形態で、各ブロックのための周波数ブロックに特有のアンテナウェイトか、または各パターンのための周波数パターンに特有のアンテナウェイトが使用される。ブロックの内部でこれらのウェイトはさらに制御のために、および１つまたは複数のデータ部分のために異なっていてもよい。
【００３４】
本発明の実施形態で、前記周波数ブロックのデータ部分はビーム形成、ＭＩＭＯ伝送、周波数スケジューリングまたは干渉調整の目的で、異なるチャネル状態にある異なるユーザに割り当てられて、これらの割り当てられたブロックの内部で、アンテナ上の適切な分配によって、アンテナパイロットおよびアンテナウェイトの適切な構成によって、必要であれば、非常に遠距離に配置されたユーザのためでもあり、同時に専用データのためでもある制御データの全方向伝送、ビーム形成もしくはＭＩＭＯ伝送、または周波数ブロックおよびユーザに依存する通常の伝送を形成し、前記周波数ブロック割当またはスケジューリングは、チャネル推定の測定値もしくはパイロット測定値もしくは干渉測定値もしくは特定のユーザの処理量の増大に関する測定に基づいて、またはＭＩＭＯもしくはビーム形成伝送のために算出された予測処理量に基づいて行われる。
【００３５】
本発明の実施形態では、各セクタまたはセルの中で周波数ブロックに配置された多様な周波数の特定の組合せは、セル１およびセル２の２つのセルのための時間・周波数グリッドの中の点で表された周波数ブロックとして示される、前記組合せの中のすべての周波数ブロックでの電力と使用の制限を課すために、例えば図５で示されるように選択される。次いで前記組合せは、モバイル端末が干渉調整から、すなわち制限されたセルの境界で前記周波数ブロックを使用することにより改善されたＳＩＲ率から利益を得ることができるように、セルまたはセクタ間で異なることが可能である。
【００３６】
本発明の実施形態で、アンテナに特有のパイロットと、それらに応じて異なる電力を備えた複数のアンテナのための、引き起こされた干渉を制限するための同様のパイロットとが使用される。
【００３７】
本発明の実施形態で、各周波数ブロックの制御情報部分は、電力が適切に高められたアンテナパイロットを備えた単一のアンテナを介してのみ伝送され、さらに制御情報の伝送のための異なるアンテナは、アンテナ間の電力の釣り合わせを達成するために周波数ブロックによって選択される。
【００３８】
本発明の実施形態で、アンテナが制御チャネルを伝送するアンテナパイロットの電力は高められ、別のパイロットはセット１と呼ばれるすべてのアンテナのうちの一部を介してビーム指示ウェイトとともに伝送され、データ部分はセット１のために、ビーム形成のために以前に選択された同様のビーム指示ウェイトを使用して、すべてのアンテナを介して伝送され、すべてのアンテナの一部（セット１）を介して伝送されるこの別のパイロットの電力は、特にビームの外部の干渉を軽減するために弱められる。
【００３９】
本発明の実施形態で、１つの周波数ブロックは全方向伝送のために、１つのアンテナからのみ１つのパイロットとともに送信され、パイロットの電力は、例えばすべてのパイロットに利用可能な最大総電力を使い切るために高められる。
【００４０】
本発明の１つの実施形態で、アンテナ特有のパイロットは周波数ブロックのパイロット部分で、例えば位相要素を伴わずに各アンテナから送信され、アンテナが制御チャネルを伝送するアンテナパイロットの電力は高められ、別のパイロットはすべてのパイロットのために利用可能な総パイロット電力を保存するために弱められ、各アンテナでは、ＭＩＭＯ伝送のためのアンテナ特有のデータが伝送される。
【００４１】
本発明の実施形態で、アンテナ上の適切な分配、パイロットの使用法、電力、およびＭＩＭＯまたはビーム形成伝送などの伝送方式の選択は、モバイル端末のフィードバックに依存する。
【００４２】
本方法は、単一のアンテナ特有の測定されたチャネル転送関数の加重された重ね合わせ（ｗｅｉｇｈｔｅｄ  ｓｕｐｅｒｐｏｓｉｔｉｏｎ）によって、ビーム形成で組み合わせられたチャネル転送関数を算出することを含む。
【００４３】
本発明の実施形態で、アンテナパイロット構成は、周波数ブロックの中でパイロット系列と同じアンテナによって伝送される制御情報をパイロット系列が直接的に常に伴うように、他のアンテナパイロット系列に差し込まれた（ｉｎｔｅｒｌｅａｖｅ）異なるＯＦＤＭシンボルの中のいくつかのアンテナパイロット系列とともに使用される。この状況は図７の中に示されている。この図では、１つのセルのための時間・周波数グリッドの中の時間方向と周波数方向で、アンテナＡおよびＢのためのパイロットシンボルはアンテナＣおよびＤのためのパイロットに差し込まれている。
【００４４】
以下に３つの実施形態が示される。
【００４５】
図３に示すように、セクタ毎にちょうど２つのアンテナのある構成では、各アンテナは常にアンテナ特有のパイロットを伝送する。周波数ブロックの幅は１２の副搬送波であり、拡散要素がＳＦ＝１２であるアンテナ毎のパイロット系列が使用される。各パイロットの電力は、すべての利用可能な、または有効な受信状態でのチャネル推定のために十分な｜ＰＡ｜２＝｜ＰＢ｜２＝１／２である。制御チャネルはちょうど１つのアンテナからのみ送信され、選択されるアンテナはアンテナ間の電力の釣り合わせを達成するために、各周波数ブロックと交替する。
【００４６】
さらに、図６でセクタ毎に４つのアンテナのある構成が示される。周波数ブロックＦＢ１、ＦＢ２・・・等毎の制御データは、単一のアンテナから送信される。選択されるアンテナは周波数ブロックと交替し、対応するアンテナパイロットは、例えば周波数ブロックＦＢ１で丸、またはＦＢ２で四角によって示される、第１アンテナ上の第１パイロットと呼ばれる。このアンテナパイロットは｜ＰＰ｜２＝１／２の電力を有する。すべての第２アンテナパイロットの合計Σ｜ＰＳ｜２＝１／２は、単に１／２でもある。
【００４７】
ビーム形成の場合、１つのみの第２パイロット系列は、｜ＰＢ｜２＝｜ＰＣ｜２＝｜ＰＤ｜２＝１／１８または＝１／６の残りのすべてのアンテナを介して伝送される。次に図６のＦＢ１で、四角でシンボル化されたアンテナＢパイロット、×でシンボル化されたアンテナＣパイロットおよび＋記号でシンボル化されたアンテナＣパイロットは、この周波数ブロックＦＢ１の中でこの場合同一である。次いでビーム内部の振幅は高められ、上述の電力設定の第１ケースでの電力量は
【数５】
2007124657.tif 000007
に、第２ケースでの電力量は
【数６】
2007124657.tif 000008
になる。次にビーム外部の電力は、第１ケースでは平均で３／１８＝１／６、第２ケースでは３／６＝１／２に高められなければならない。したがって、データの復号化またはチャネル推定で他のセルのモバイル端末を妨げないということから、第１ケースの方がより保守性が高い。この電力設定はモバイル端末に知られていなければならない。
【００４８】
パイロットのビーム指示アンテナウェイトもまたデータのために使用される。データ伝送のために結合されたチャネル転送関数Ｈｔｏｔは、それぞれ第１アンテナと第２アンテナとのチャネル転送関数であるＨＡとＨＢｔｏｔとの加重された結合によって見つけ出される。例えば、ｗＡ＝ｗＢ＝１として、Ｈｔｏｔ＝ｗＡＨＡ＋ｗＢＨＢｔｏｔとなる。
【００４９】
ＭＩＭＯ伝送の場合、電力が｜Ｐｐ｜２＝１／２である第１パイロットの他に、例えばＦＢ１の周波数ブロックの内部で、図６の中で四角、×または＋記号で示されているような、３つの異なるアンテナ特有のパイロットが使用される。第２パイロットの電力は｜ＰＢ｜２＝｜ＰＣ｜２＝｜ＰＤ｜２＝１／６である。弱められた電力のため、ＭＩＭＯ送信を受信するモバイル端末は、第２パイロットのためのチャネル推定をうまく実行するためには基地局のアンテナに十分近くなければならない。データのＭＩＭＯ受信のために、いかなる場合でも優良なＳＩＮＲ率が必要であることから、この条件は過度に制限されるべきではない。
【００５０】
４つすべてのアンテナを介した送信のとき、全方向の放射を与えるアンテナウェイトが見つけ出されることが可能な、特定のアンテナ構成が与えられる場合、パイロット構成のその他の可能性も実行できる。次に、第１パイロットが見つけ出されたウェイトを用いて４つすべてのアンテナを介して伝送され、共通の制御チャネルもまたそれらのウェイトを用いて伝送される。第１パイロット電力は、例えば｜Ｐｐ｜２＝１／２であってよい。さらに第２、第３、第４等のパイロットは、専用の送信データに対応して、異なるアンテナウェイトを備えたすべてのアンテナのうちの単一のものか、またはその一部を介して各々伝送される。例えばＭＩＭＯ伝送の場合、各々の単一のアンテナパイロットは単一のアンテナの専用データに対応し、第２、第３、第４および第５パイロットの電力は｜Ｐα｜２＝｜Ｐβ｜２＝｜Ｐγ｜２＝｜Ｐδ｜２＝１／８である。
【００５１】
図７の第３の構成で、差し込まれた形で配置された４つのアンテナパイロットが示される。
【００５２】
各アンテナは、アンテナ特有のパイロットを常に伝送する。利用可能な、または有効なすべての受信状態でのチャネル推定のために十分な各パイロットの電力は、｜ＰＡ｜２＝｜ＰＢ｜２＝｜ＰＣ｜２＝｜ＰＤ｜２＝１／２である。制御チャネルは、制御情報の近くのこの周波数ブロックの中にそれらのパイロットを有する２つのアンテナのうちの１つである、１つのアンテナからまさに伝送され、選択されたアンテナは、アンテナ間の電力の釣り合わせを達成するために、各周波数ブロックと交替する。
【００５３】
この構成は、以前の構成と比較すると、パイロット情報のためにより多くのスペースを必要とし、データ伝送のために残すスペースはより少なくなる。
【００５４】
説明した概念とともに、ここに、あらゆる種類の複数アンテナ技術のためのものであり、同時にマイクロスリープ方式をも可能にする柔軟な解決法が存在する。
【００５５】
この解決法は、あらゆる種類の選択的な周波数および多様な周波数の周波数パターンを可能にする、一般的で柔軟な概念である。この解決法はさらに、干渉調整、ＭＩＭＯおよびビーム形成伝送、ならびに周波数スケジューリングのためのチャネル多重化を可能にし、同時に無線チャネルのチャネル容量を最大限に利用することを可能にする。
【００５６】
パイロット対パイロットの干渉を回避することに関して、本方法はここで、例えば必要なネットワークのパイロット計画などの、より高い柔軟性を有する。
【図面の簡単な説明】
【００５７】
【図１】セクタ毎に複数のアンテナを備えたセクタ化されたセルの配置、および六角形の配置における複数のセルを示す概略図である。
【図２】セルの重複する領域での複数アンテナ受信および干渉を概略的に示す図である。
【図３】セル内の時間分割多重（ＴＤＭ）ＯＦＤＭパイロットを備えたＯＦＤＭ時間・周波数グリッドを示す概略図である。
【図４】多様な周波数の周波数パターンを備えた周波数ブロックの組合せを示す概略図である。
【図５】２つのセルの干渉調整のために課された制限を備えた、多様な周波数の選択された周波数ブロックを示す概略図である。
【図６】１つのＯＦＤＭシンボルの中に４つのアンテナパイロットのあるＯＦＤＭ時間・周波数グリッドを示す概略図である。
【図７】４つのアンテナがあり、パイロットが２つのＯＦＤＭシンボル上に分配された時間分割多重構造を示す概略図である。
【符号の説明】
【００５８】
１、２、３  セクタ
１Ａ、１Ｂ、１Ｃ、１Ｄ、２Ａ、２Ｂ、２Ｃ、２Ｄ  アンテナ
ＦＢ１、ＦＢ２、ＦＢ３  周波数ブロック
【図１】
2007124657.tif 000009
【図２】
2007124657.tif 000010
【図３】
2007124657.tif 000011
【図４】
2007124657.tif 000012
【図５】
2007124657.tif 000013
【図６】
2007124657.tif 000014
【図７】
2007124657.tif 000015
【外国語明細書】
2007124657.tif 000016
2007124657.tif 000017
2007124657.tif 000018
2007124657.tif 000019
2007124657.tif 000020
2007124657.tif 000021
2007124657.tif 000022
2007124657.tif 000023
2007124657.tif 000024
2007124657.tif 000025
2007124657.tif 000026
2007124657.tif 000027
2007124657.tif 000028
2007124657.tif 000029
2007124657.tif 000030
2007124657.tif 000031
2007124657.tif 000032
2007124657.tif 000033
2007124657.tif 000034
2007124657.tif 000035
2007124657.tif 000036
2007124657.tif 000037
2007124657.tif 000038
2007124657.tif 000039
2007124657.tif 000040
2007124657.tif 000041